(57)【要約】【課題】慣性動力発光装置の提供。【解決手段】慣性動力発光装置１０は、慣性モジュール２００、磁性部品１１０、導磁ユニット１２０、導線１３０、発光モジュール３００を備え、慣性モジュール２００は慣性作用を受け、磁性部品１１０を転動させ、導磁ユニット１２０は磁性部品１１０の転動により、それが形成する磁場は変化を生じ、しかも、導磁ユニット１２０上に巻きつく導線１３０は磁場変化に反応し、駆動電流を発生し、これにより発光モジュール３００を駆動し、光線を発射し、慣性動力により、磁場に変化を起こさせ、駆動電流を発生し、発光モジュール３００を駆動する。【選択図】図２
0003147517.tif 000002
【実用新案登録請求の範囲】
【請求項１】
電磁モジュール、慣性モジュール、発光モジュールを備え、
前記電磁モジューは磁性部品、導磁ユニット及び少なくとも１本の導線を備え、前記導磁ユニットは前記磁性部品に反応し、磁場を形成し、
前記少なくとも１本の導線は前記導磁ユニット上に巻きつき、
前記慣性モジュールは前記磁性部品に連接し、慣性作用を受け、前記磁性部品を連動し、これにより前記磁性部品は転動し、前記導磁ユニットは前記磁性部品の転動により、前記磁場が変化を生じ、しかも前記導線は前記磁場の変化に反応し、駆動電流を発生し、
前記発光モジュールは前記導線に電気的に連接し、前記駆動電流により光線を発射することを特徴とする慣性動力発光装置。
【請求項２】
請求項１記載の慣性動力発光装置において、前記慣性モジュールは、伝動ユニット、重力ブロックを備え、
前記伝動ユニットは前記磁性部品に連接し、
前記重力ブロックは前記伝動ユニットに連接し、慣性作用を受け、前記伝動ユニットを連動し前記磁性部品を転動させることを特徴とする慣性動力発光装置。
【請求項３】
請求項２記載の慣性動力発光装置において、前記伝動ユニットはギアユニットで、前記ギアユニットは２個ずつが相互に噛み合う複数のギアを備えることを特徴とする慣性動力発光装置。
【請求項４】
請求項３記載の慣性動力発光装置において、前記重力ブロックはスイング部品で、前記ギアユニットと同軸で連接し、前記スイング部品は慣性作用を受けて転動し、しかも前記ギアユニットを連動して前記磁性部品を転動させることを特徴とする慣性動力発光装置。
【請求項５】
請求項３記載の慣性動力発光装置において、前記重力ブロックは、第三ギア、移動部品を備え、
前記第三ギアは、前記ギアユニットと同軸で連接し、
前記移動部品は前記第三ギアと相互に噛み合う構造を備え、前記第三ギアと噛み合い連接し、
前記少なくとも１個の弾性部品は、前記移動部品と連接し、前記弾性部品は慣性作用を受けるため移動部品は弾力を受け、往復移動を行い、しかも前記第三ギアを連動し転動させ、これによりギアユニットは前記磁性部品を転動させることを特徴とする慣性動力発光装置。
【請求項６】
請求項１記載の慣性動力発光装置において、前記導磁ユニットは、導磁フレーム、少なくとも１個のワイヤーラップフレームを備え、
前記導磁フレームは前記磁性部品に反応し、前記磁場を発生し、
前記少なくとも１個のワイヤーラップフレームは、前記導磁フレーム上を覆い、しかも前記ワイヤーラップフレーム上には前記導線を巻きつけることを特徴とする慣性動力発光装置。
【請求項７】
請求項１記載の慣性動力発光装置において、前記発光モジュールは、少なくとも１個の回路板、少なくとも１個の発光部品を備え、
前記少なくとも１個の回路板は少なくとも１本の回線を備え、前記回線は前記導線に連接し、前記駆動電流を受け取り、
少なくとも１個の発光部品は、前記回路板上に設置し、前記発光部品は前記回線に電気的に連接し、前記駆動電流により前記光線を発射することを特徴とする慣性動力発光装置。
【請求項８】
請求項１記載の慣性動力発光装置において、前記慣性動力発光装置は、導光板を備え、前記導光板は、前記発光モジュール上に位置し、前記導光板により、前記発光モジュールに相対する片側表面から入射する前記光線を平面光に転換し、前記発光モジュールに相対する反対側表面より前記平面光を発射することを特徴とする慣性動力発光装置。
【請求項９】
請求項８記載の慣性動力発光装置において、前記導光板於前記発光部品に対応する位置は光通過性を備え、前記光線の一部を通過させ、前記光線の他の一部を平面光に転化し、前記発光モジュールに相対する反対側表面より前記平面光を発射することを特徴とする慣性動力発光装置。
【請求項１０】
電磁モジュール、慣性モジュール、発光モジュール、導光板を備え、
前記電磁モジュールは、導磁フレーム、磁性部品、少なくとも１個のワイヤーラップフレーム、少なくとも１本の導線を備え、
前記導磁フレームは欠口を備え、
前記磁性部品は前記欠口内に位置し、
前記少なくとも１個のワイヤーラップフレームは、前記導磁フレームを多い、
前記少なくとも１本の導線は前記ワイヤーラップフレーム上にそれぞれ巻きつき、 
前記磁性部品が転動すると、前記導磁フレームは前記磁性部品の転動により、磁場が変化を生じ、しかも前記導線は前記磁場の変化に反応し、駆動電流を発生し、
前記慣性モジュールは、重力ブロック、ギアユニットを備え、
前記ギアユニットは前記重力ブロックと前記磁性部品に連接し、 
前記慣性動力発光装置が移動すると、前記重力ブロックは慣性移動し、これにより前記ギアユニットは前記磁性部品を転動させ、
前記発光モジュールは、少なくとも１個の回路板、少なくとも１個の発光部品を備え、
前記少なくとも１個の回路板には少なくとも１本の回線を備え、前記回線は前記導線に電気的に連接し、前記駆動電流を受け取り、
前記少なくとも１個の発光部品は前記回路板上に設置し、前記回線に電気的に連接し、前記駆動電流により光線を発射し、
前記導光板は前記回路板上に位置し、しかも前記発光部品に対応する位置は光通過性を備え、前記光線の一部を通過させ、前記光線の他の一部を平面光に転化し、前記発光モジュールに相対する反対側表面より前記平面光を発射することを特徴とする慣性動力発光装置。
【考案の詳細な説明】
【技術分野】
【０００１】
本発明は発光モジュールに関し、特に慣性動力により発光モジュールを駆動する慣性動力発光装置に関する。
【背景技術】
【０００２】
地球温暖化、大気汚染の進行に加え、エネルギーに対する社会の依存の高まりは、クリーンで環境に負荷を与えず、無尽蔵な新エネルギーの開発をエネルギー産業界に迫っている。
過去のエネルギー発展史を振り返ると、石油、石炭等地下化石エネルギーに始まり、地上の原子力発電、火力発電へと至り、現在は、自然界に利用可能なグリーンエネルギーを求めている状態である。
【０００３】
水力、風力、地熱、太陽光等のグリーンエネルギーは、大自然が生み出す自然現象をエネルギーに転換するものであるため、長期間の使用或いは過度の使用でも枯渇する恐れがない。
しかし、グリーンエネルギーは自然現象を利用するため、効果的に利用可能な環境と地理的条件に制限がある。例えば、水力発電では海或いは河川に近接する地域でなければ運転できず、太陽光発電では十分な陽光が得られる地域でなければならない。
【考案の開示】
【考案が解決しようとする課題】
【０００４】
本考案の主な目的は、電池或いは外付け電力の使用を不要としながら、同時に環境或いは地理的条件の制限を受け発光不能であるという状況を回避可能な慣性動力発光装置を提供することである。
【課題を解決するための手段】
【０００５】
本発明は下記の慣性動力発光装置を提供する。慣性動力発光装置は、電磁モジュール、慣性モジュール、発光モジュールを備え、該電磁モジュールは磁性部品、導磁ユニット、少なくとも１本の導線を備え、該導線は導磁ユニット上に巻きつく。
該慣性モジュールは慣性作用を受け、磁性部品を連動し、磁性部品を転動させ、該導磁ユニットは磁性部品の転動により、磁場に変化が生じ、しかも導線は磁場変化に反応し、駆動電流を発生する。
該発光モジュールは導線に電気的に連接し、駆動電流により駆動され光線を発射し、該慣性モジュールは伝動ユニットと重力ブロックを備える。
該伝動ユニットは磁性部品を連接し、しかも該重力ブロックは該伝動ユニットに連接し、該重力ブロックは慣性作用を受け、該伝動ユニットを連動し、これにより伝動ユニットは磁性部品を転動し、該重力ブロックは転動慣性或いは移動慣性により伝動ユニットを連動することができる。
該導磁ユニットは導磁フレーム及少なくとも１個のワイヤーラップフレームを備え、該導磁フレームは欠口を備え、しかも該磁性部品は該欠口内に位置する。
該ワイヤーラップフレームは導磁フレームを備え、しかも該ワイヤーラップフレーム上には導線がそれぞれ巻きつく。
【０００６】
該発光モジュールは少なくとも１個の回路板、少なくとも１個の発光部品を備え、該回路板には少なくとも１本の回線を設置し、しかも回線は導線に電気的に連接し、これにより駆動電流を受け取る。
該発光部品は回路板上に設置し、しかも該回線に電気的に連接し、このようにして駆動電流により光線を発する。
駆動電流は回路板上の回線を経由し、発光部品へと伝送され、これにより発光部品を駆動する。
また、導光板を回路板上に設置可能で、導光板により光線の一部は平面光に転化され、しかも導光板の回路板に相対する反対側表面から平面光を発射する。
該導光板は発光部品の位置に対応し光通過性を備え、光線の残りの部分を通過させる。
本考案の慣性動力発光装置は、慣性動力により、慣性モジュールは慣性作用を受け、磁性部品を転動させ、導磁ユニットは磁性部品の転動に反応し、それが形成する磁場は変化し、この時、導磁ユニット上に巻きつく導線は磁場変化に反応し、駆動電流を発生し、発光モジュールを駆動し、光線を発射する。
【考案の効果】
【０００７】
本考案は慣性動力により電気エネルギーを発生するため、環境保護、省エネの効果を確実に達成することができ、同時に、従来のグリーンエネルギー装置（例えば、太陽光電池等）が環境と地理的条件の制限を受けざるを得なかったという問題を克服することができる。
【考案を実施するための最良の形態】
【０００８】
図１は、本考案第一実施形態による慣性動力発光装置の概略図である。
図１に示すように、本実施形態において、慣性動力発光装置１０は、電磁モジュール１００、慣性モジュール２００、発光モジュール３００を備える。
慣性動力発光装置１０は、慣性モジュール２００の慣性動力により、電磁モジュール１００に磁場の交替変換を生じさせ、磁場の変化により駆動電流を発生し、発光モジュール３００を駆動し、光線を発射させる。
【０００９】
図２は、本考案第一実施形態による慣性動力発光装置の分解図である。
図２に示すように、電磁モジュール１００は磁性部品１１０、導磁ユニット１２０、少なくとも１本の導線１３０を含む。
磁性部品１１０は相互に反磁性ブロックである２個の部品を備える。
磁性部品１１０の形状は球型、円柱型、ブロック状等の幾何形状とすることができる。
導線１３０は導磁ユニット１２０上に巻きつく。
導磁ユニット１２０は磁化し易い材料で、そのため磁性部品の磁性に反応し、全体が磁化し、周囲に磁場を形成する。
導磁ユニット１２０が磁性部品の反磁性に交替に反応すると、導磁ユニット１２０が形成する磁場はそれに従い変化を生じる。この時、導磁ユニット１２０上に巻きつく導線１３０は導磁ユニット１２０の磁場変化に反応し、駆動電流を発生する。
【００１０】
導磁ユニット１２０は導磁フレーム１２１と少なくとも１個のワイヤーラップフレーム１２２を備える。
ワイヤーラップフレーム１２２は導磁フレーム１２１上を個別に覆い、導線１３０はワイヤーラップフレーム１２２上にそれぞれ巻きつく。
導磁フレーム１２１は中空のフレームであるため、慣性モジュール２００のユニットの一部を導磁フレーム１２１の内側（すなわち、中空フレームの内側）に設置し、装置全体の体積を縮小することができる。
導磁フレーム１２１は欠口１２３を備え、しかも磁性部品１１０を欠口１２３中に設置する。
導磁フレーム１２１の材質は鉄、ケイ素鋼等磁化し易い材料で、導磁フレーム１２１の形状は方形フレーム、円形等の幾何形状のフレームとすることができる。
【００１１】
ワイヤーラップフレーム１２２は本体を備え、しかも本体上には２本の導電柱１２４を設置する。
導線１３０はそれぞれワイヤーラップフレーム１２２本体上に巻きつき、しかも導線１３０両端はそれぞれ２本の導電柱１２４と電気的に連接する。
組み立ての便のため、２本の導電柱１２４はワイヤーラップフレーム１２２本体の一端に設置するが、実際の必要に応じて、それぞれワイヤーラップフレーム１２２本体の両端或いは他の位置に設置することもできる。
導磁フレーム１２１は磁性部品１１０の磁性に反応し、導磁フレーム１２１そのものが磁化し、磁性部品１１０の磁場とは反対の磁場を備えるようになる。
よって、磁性部品１１０が転動すると、導磁フレーム１２１は、磁性部品１１０の両反磁性に交替に反応するため、そのものも磁場の交替変化を生じる。
これにより導磁フレーム１２１を覆うワイヤーラップフレーム１２２上に巻きつく導線１３０は磁場の変化に反応し、駆動電流を発生する。
【００１２】
慣性モジュール２００は、伝動ユニット２１０と重力ブロック２２０を備える。
伝動ユニット２１０は磁性部品１１０に連接する。
重力ブロック２２０は伝動ユニット２１０に連接し、これにより重力ブロック２２０が慣性作用を受け、転動或いは移動すると、伝動ユニット２１０を連動する。このようにして、伝動ユニット２１０は磁性部品１１０を転動させる。
重力ブロック２２０はまた、磁性部品１１０に直接連接させることもでき、これにより重力ブロック２２０が慣性作用を受け、転動或いは移動すると、磁性部品１１０の転動を直接連動することができる。
伝動ユニット２１０はギアユニットで、しかも、ギアユニットは単一ギア或いは相互に噛み合う複数のギアを備える。
【００１３】
本実施形態中では、重力ブロック２２０はスイング部品（図３参照）で、しかも伝動ユニット２１０は第一ギア２１１、第二ギア２１２、第三ギア２１３、第一支軸２３０を備える。
第一支軸２３０一端は第一ギア２１１の中心を貫通し、しかも第一支軸２３０反対端は重力ブロック２２０上に設置する。これにより、第一ギア２１１と重力ブロック２２０は第一支軸２３０上に固定され、第一ギア２１１と重力ブロック２２０は同軸接続する。
このようにして、重力ブロック２２０が転動すると、第一支軸２３０は第一ギア２１１を連動し転動させる。
第一ギア２１１と第二ギア２１２は相互に噛み合い、噛み合い連動関係を形成する。第二ギア２１２は第三ギア２１３と同軸接続する。
第三ギア２１３は、磁性部品１１０と同軸接続する第四ギア２１４と、相互に噛み合い、噛み合い連動関係を形成する。
第四ギア２１４と磁性部品１１０は一体成型の設計、すなわち、磁性部品１１０上にギア状構造を備える設計とすることができる。
第一ギア２１１が重力ブロック２２０に連動され転動すると、噛み合う第二ギア２１２を連動し、転動させる。
同時に、第二ギア２１２と第三ギア２１３は同軸接続であるため、第三ギア２１３も第二ギア２１２に従い転動し、しかも噛み合う第四ギア２１４を連動し転動させる。
第四ギア２１４と磁性部品１１０は同軸接続であるため、磁性部品１１０は第四ギア２１４に従い転動する。
【００１４】
発光モジュール３００は少なくとも１個の回路板３１０、少なくとも１個の発光部品３２０を備える。
回路板３１０には回線（図示なし）を設置し、しかもこの回線と導電柱１２４は電気的に連接し、導電柱１２４を経由し、導線１３０が出力する駆動電流を受け取る。
発光部品３２０は回路板３１０上に設置し、しかも回路板３１０の回線と電気的に連接する。
発光部品３２０は回路板３１０の回線を経由し駆動電流を受け取り、しかも駆動電流の駆動により光線を発する。
多数の発光部品３２０を設置する場合には、各発光部品３２０の間は直列接続及び/或いは並列接続とする。
慣性動力発光装置１０が移動或いは転動すると、第一支軸２３０の位置が慣性動力発光装置１０の中心点上ではなくなり、これにより重力ブロック２２０は慣性作用を受け、転動或いは移動し、同様に第一支軸２３０に連接する第一ギア２１１の転動を連動する。ギア同士は相互に噛み合うため、これにより磁性部品１１０を転動する。
導磁ユニット１２０は磁性部品１１０の転動に反応し、それが形成する磁場が変化を生じると、導磁ユニット１２０上に巻きつく導線は磁場変化に反応し、駆動電流を発生する。
本実施形態において、駆動電流は交流電流である。
発光部品３２０間が直列により接続される場合には、発光部品３２０は交流電流の変化に応じて、同時に点灯或いは同時に消灯する。
発光部品３２０間が並列により接続される場合には、発光部品３２０は交流電流の変化に応じて、一部の点灯と一部の消灯を同時に行う。
【００１５】
底板４００には電磁モジュール１００、慣性モジュール２００、発光モジュール３００を設置する。
本実施形態中では、磁性部品１１０、伝動ユニット２１０、重力ブロック２２０は底板４００上に可動状態で設置し、導磁ユニット１２０は底板４００上に固定する。
底板４００上には、少なくとも１個の凸柱４１０と少なくとも１個のベアリング４２０を設置する。
凸柱４１０は導磁フレーム１２１上の孔１２５を貫通し、導磁フレーム１２１を底板４００上に固定する。
ベアリング４２０上には、第一ギア２１１、第二ギア２１２、磁性部品１１０をそれぞれ穿設、しかも第一ギア２１１、第二ギア２１２、磁性部品１１０は、それぞれベアリング４２０に相対し転動する。そのため、底板４００上のベアリング４２０の個数は、設置するギアの個数に応じて決定する。
【００１６】
回路板３１０は嵌接孔３１１と孔３１２を備える。
嵌接孔３１１はワイヤーラップフレーム１２２本体上の係合フック１２６に対応し設置されている。
孔３１２は、ワイヤーラップフレーム１２２本体上の導電柱１２４位置に対応し設置されている。
よって組み立て時には、回路板３１０はワイヤーラップフレーム１２２上に重ねて設置され、ワイヤーラップフレーム１２２の係合フック１２６と嵌接孔３１１の相互嵌接を利用し、回路板３１０をワイヤーラップフレーム１２２上に固定する。
しかも、ワイヤーラップフレーム１２２の導電柱１２４は孔３１２中に穿設され、回路板３１０の回線に電気的に連接する。
回路板３１０の回線は、孔３１２位置まで延長可能で、回路板３１０をワイヤーラップフレーム１２２上に固定する時に、導電柱１２４は孔３１２内に係合され、或いは孔３１２内に溶接され、これにより導電柱１２４と回路板３１０の回線は電気的に連接する。
このようにして駆動電流は、導電柱１２４を経由し、回路板３１０の回線まで流れ、回路板３１０の回線を経て、回線と電気的に連接する発光部品３２０を駆動することができる。
【００１７】
本考案一実施形態による慣性動力発光装置１０において、第一支軸２３０は底板４００の中心点位置上にないため、外部の動力により、重力ブロック２２０に慣性作用を及ぼし転動させると、第一支軸２３０に連接する第一ギア２１１の転動を連動する。
さらに、ギア（上記した第二ギア２１２、第三ギア２１３、第四ギア２１４）間は相互に噛み合い、連動されるため、磁性部品１１０もこれに従い転動する。
導磁ユニット１２０が磁性部品１１０の転動に反応し、それが形成する磁場に変化が生じると、導磁ユニット１２０上に巻きつく導線１３０は磁場変化に反応し、駆動電流を発生し、回路板３１０上の発光部品３２０を駆動し光線を発射させる。
すなわち、慣性動力が磁場に変化を起こさせ、これにより磁気誘導で駆動電流を発生し、発光モジュールを駆動するため、環境保護と省エネを達成することができ、同時に、従来のグリーンエネルギー装置（例えば、太陽光電池等）のように環境と地理的条件の制限を受けることもない。
【００１８】
図４は本考案第二実施形態による慣性モジュールの概略図である。
図４に示すように、本実施形態中では、慣性モジュール２００は伝動ユニット２１０（図２を合わせて参照）、重力ブロック２２０、少なくとも１個の弾性部品２４０を備える。
ここでは重力ブロック２２０は移動部品である。
伝動ユニット２１０は、さらに第五ギア２１５を備える。
この時、第一支軸２３０は底板４００を貫通し、しかも第一支軸２３０の一端は第一ギア２１１の中心において貫通し、そこに固定され、第一支軸２３０の反対端は、第五ギア２１５の中心において貫通し、そこに固定される。これにより第五ギア２１５と第一ギア２１１は同軸接続する。
実際の設計の必要に応じて、第一支軸２３０の両端を、第五ギア２１５の中心と磁性部品１１０の軸心にそれぞれ固定することができ、或いは磁性部品１１０上に備えるギア状構造を第五ギア２１５とし、つまり第五ギア２１５と磁性部品１１０を一体成型の設計とすることができる。
弾性部品２４０は重力ブロック２２０と連接する。
重力ブロック２２０が慣性作用を受け、移動すると、弾性部品２４０の弾力作用により往復の反復移動を形成する。
しかも、重力ブロック２２０上には歯状構造を備え、第五ギア２１５と相互に噛み合うため、重力ブロック２２０は第五ギア２１５と噛み合い連動関係を形成する。
よって、重力ブロック２２０が反復運動（すなわち、往復の反復移動）を生じると、噛み合い関係により第五ギア２１５の転動を連動し、第五ギア２１５上に固定する第一支軸２３０は転動し、第一ギア２１１は、第一支軸２３０の転動に従い転動する。
重力ブロック２２０上の歯状構造は、重力ブロック２２０の反復運動の方向に従い延伸する。
弾性部品２４０の一端は重力ブロック２２０上に固設、しかも弾性部品２４０の反対端は固定部品２５０上に固設、しかも、固定部品２５０は底板４００上に固設する。
また、固定部品２５０は、底板４００上に一体成型する突起構造とすることができる。
【００１９】
図５は、本考案第二実施形態による慣性動力発光装置の概略図で、図６は本考案第二実施形態による慣性動力発光装置の分解図である。本実施形態の構造設計は、上記した実施形態とほぼ同様である。
図５、６に示すように、本実施形態において、慣性動力発光装置１０はさらに、導光板５００を備える。
導光板５００は、発光モジュール３００上に設置する。
発光モジュール３００が発光すると、光線は、導光板５００の発光モジュール３００に相対する片側表面から入射する。
導光板５００と空気の屈折率の差異により、入射した光線は、導光板５００内で全反射伝達を形成し、このようにして平面光に転換される。
さらに、導光板５００の発光モジュール３００に相対する反対側表面から平面光を発射する。
【００２０】
導光板５００内部では、印刷或いはモールディング等の方式を利用し、必要な図形構造（図示なし）を形成することができる。
この場合には、図形構造が、光線が導光板５００内部で進行する全反射伝達を破壊するため、導光板５００の発光モジュール３００に相対する反対側表面から平面光を発射する。
導光板５００は、少なくとも１個の光通過部５１０を備える。
光通過部５１０は、発光モジュール３００の発光部品３２０の位置に対応し、これにより導光板５００は発光部品３２０の位置に相対し光通過性を備える。
よって、入射の光線中の一部分は、光通過部５１０より導光板５００を直接貫通し、残りの部分は、導光板５００の内部に入射し、全反射伝達を経て平面光に転化する。
この光通過部５１０は、貫通孔である。
しかも、貫通孔中には光通過材料を充填し、或いは貫通孔の開口位置には光通過フィルターを設置する。
また、導光板５００上の光通過部５１０以外の表面上には、光線を反射可能な材質（例えば、銀、アルミニウム等の金属材料）を設置、或いは塗布し、これにより外部光線が慣性動力発光装置１０に照射すると、慣性動力発光装置１０は反射することができる。
【００２１】
本考案一実施形態の慣性動力発光装置は、実際応用に基づき、底台６００を備える設計とすることができる。
底台６００は底板４００と固定接合され、しかも底板４００の発光モジュール３００に相対する反対側表面は、底台６００の内表面に向かう（底台は、ケース外側の他方の表面に相対する）。
底台６００の外表面には、他の物件と連結する結合構造を設置可能で、これにより慣性動力発光装置は他の物件と結合することができる。
底台６００は電磁モジュール１００、慣性モジュール２００、発光モジュール３００と底板４００を収容設置し、導光板５００と連接し、内部構造の露出を防止する。
【００２２】
図７は本考案一実施形態による慣性動力発光装置において、第一応用を示す概略図である。
本第一応用では、本考案一実施形態の慣性動力発光装置を、ヨーヨー設計に応用する。
本考案一実施形態による慣性動力発光装置１０は、ヨーヨーの両側面に設置し、或いはヨーヨーの両側面を構成する。
ヨーヨーの転動時には、慣性動力発光装置１０内の重力ブロックは慣性作用を受け転動或いは往復移動を行い駆動電流を発生し、これにより発光モジュールを駆動し光線を発射させる。
【００２３】
図８は本考案一実施形態による慣性動力発光装置において、第二応用を示す概略図である。
本第二応用では、本考案の慣性動力発光装置を運動に応用する。
図８に示すように、慣性動力発光装置１０上には、ベルト７００等の結合構造を設置し、ベルト７００等を利用し、慣性動力発光装置１０を人の腕に固定することができる。
これにより運動中に人が腕を動かすと、慣性動力発光装置１０内の重力ブロックは慣性作用を受け、転動或いは往復移動を行い、駆動電流を発生し、発光モジュールを駆動し、光線を発射する。
同時に、夜間の運動時には、警告表示と照明の作用を達成することができる。
【００２４】
図９は本考案一実施形態による慣性動力発光装置において、第三応用を示す概略図である。
本第三応用では、慣性動力発光装置１０上に、ロック装置７１０等の結合構造を設計する。
ロック装置７１０を利用し、慣性動力発光装置１０を自転車或いはオートバイ等の車両上に固定すれば、装飾の作用を達成し、同時に、警告表示灯或いは/及び照明灯として使用することができる。
車両の移動時には、慣性動力発光装置１０内の重力ブロックは慣性作用を受け、スイング或いは往復移動を行い、駆動電流を発生し、発光モジュールを駆動し、光線を発射する。このようにして、車両の夜間走行時に、警告表示と照明の作用を達成することができる。
【００２５】
図１０は本考案一実施形態による慣性動力発光装置において、第四応用を示す概略図である。
本第四応用では、ロック装置７１０を利用し、慣性動力発光装置１０を自転車タイヤのスポーク７２０上に固定する。
自転車が移動し、タイヤが転動すると、慣性動力発光装置１０内の重力ブロックは慣性作用を受け、スイング或いは往復移動を行い、駆動電流を発生し、発光モジュールを駆動し、光線を発射する。
このようにして、装飾の作用を達成しながら、警告表示灯或いは/及び照明灯としての機能も実現することができる。
【００２６】
この他、慣性動力発光装置１０上に光線を反射する材質を塗布或いは設置する場合には、慣性動力発光装置１０は、そのものが慣性作用を受け、発光部品により光線を発する他に、自転車等が移動或いは静止状態であっても、慣性動力発光装置１０は光線を反射し、警告表示の効果を達成することができる。
【図面の簡単な説明】
【００２７】
【図１】本考案第一実施形態による慣性動力発光装置の概略図である。
【図２】本考案第一実施形態による慣性動力発光装置の分解図である。
【図３】本考案第一実施形態による慣性モジュールの概略図である。
【図４】本考案第二実施形態による慣性モジュールの概略図である。
【図５】本考案第二実施形態による慣性動力発光装置の概略図である。
【図６】本考案第二実施形態による慣性動力発光装置の分解図である。
【図７】本考案一実施形態による慣性動力発光装置において、第一応用を示す概略図である。
【図８】本考案一実施形態による慣性動力発光装置において、第二応用を示す概略図である。
【図９】本考案一実施形態による慣性動力発光装置において、第三応用を示す概略図である。
【図１０】本考案一実施形態による慣性動力発光装置において、第四応用を示す概略図である。
【符号の説明】
【００２８】
１０    慣性動力発光装置
１００  電磁モジュール
１１０  磁性部品
１２０  導磁ユニット
１２１  導磁フレーム
１２２  ワイヤーラップフレーム
１２３  欠口
１２４  導電柱
１２５  孔
１３０  導線
２００  慣性モジュール
２１０  伝動ユニット
２２０  重力ブロック
２１１  第一ギア
２１２  第二ギア
２１３  第三ギア
２１４  第四ギア
２１５  第五ギア
２２０  重力ブロック
２３０  第一支軸
２４０  弾性部品
２５０  固定部品
３００  発光モジュール
３１０  回路板
３１２  孔
３２０  発光部品
４００  底板
４１０  凸柱
４２０  ベアリング
５００  導光板
５１０  光通過部
６００  底台
７００  ベルト
７１０  ロック装置
７２０  スポーク
【図１】
0003147517.tif 000003
【図２】
0003147517.tif 000004
【図３】
0003147517.tif 000005
【図４】
0003147517.tif 000006
【図５】
0003147517.tif 000007
【図６】
0003147517.tif 000008
【図７】
0003147517.tif 000009
【図８】
0003147517.tif 000010
【図９】
0003147517.tif 000011
【図１０】
0003147517.tif 000012